(57)【要約】【課題】使用するチタン材を最小限に止め歯科用インプラントフィクスチャーを確実且つ簡便に位置固定することができるインプラントフィクスチャー用収納容器を提供する。【解決手段】インプラントフィクスチャー用収納容器１を、歯科用インプラントフィクスチャーＸを収納するガラス製等の収納体本体２と、該フィクスチャーＸの係合穴Xa又は上面Xbに当接する押え部3aが内面に設けられて該本体２の上部を密封する樹脂製のキャップ３と、該本体２内の底部側に嵌入する樹脂製のインプラントフィクスチャー保持部材４とから成り、該保持部材４の上面側にその中央近傍から放射線状に形成した３本以上の溝部５に中央側が上面から僅かに突出する部分6aと放射線状の端部側が少なくとも該フィクスチャーＸの先端部からの高さの１／３以上の高さまで延在し且つ該フィクスチャーＸの外周面近傍に立設する部分6bとを有するチタン製等の板状ガイド部６を挿着する構成とする。【選択図】図１
2010220856.tif 000002
【特許請求の範囲】
【請求項１】
口腔内側に顎骨埋入用の工具との係合穴(Xa)が形成されている歯科用インプラントフィクスチャー(Ｘ)が収納されるガラス又は樹脂製の収納体本体(２)と、歯科用インプラントフィクスチャー(Ｘ)の該係合穴(Xa)に挿入されて当接するか及び／又は口腔内側の上面(Xb)に当接する押え部(3a)が内面に設けられていて該収納体本体(２)の上部を密封する樹脂製のキャップ(３)と、該収納体本体内の底部側に嵌入される樹脂製のインプラントフィクスチャー保持部材(４)とから成るインプラントフィクスチャー用収納容器であって、
該インプラントフィクスチャー保持部材(４)には上面側にその中央近傍から放射線状に３本以上の溝部(５)が形成されていると共に、該各溝部(５)には中央側が該上面から僅かに突出する部分(6a)と放射線状の端部側が少なくとも歯科用インプラントフィクスチャー(Ｘ)の先端部からの高さの１／３以上の高さまで延在し且つ歯科用インプラントフィクスチャー(Ｘ)の外周面近傍に立設する部分(6b)とを有するチタン又はチタン合金製の板状ガイド部(６)が挿着されていることを特徴とするインプラントフィクスチャー用収納容器(１)。
【請求項２】
収納体本体(２)が上面と下面とが開口している筒状である請求項１に記載のインプラントフィクスチャー用収納容器(１)。
【請求項３】
収納体本体(２)が下面が封鎖されている容器状である請求項１に記載のインプラントフィクスチャー用収納容器(１)。
【請求項４】
少なくとも隣接する２本の溝部(５)が放射線状の中央側が連通したＶ字状であり、そのＶ字状の溝部(５)に挿着される板状ガイド部(６)が開口側が上向きのコの字状で開口側と反対側の底部がその中央部でＶ字状に折曲されている板状ガイド部である請求項１から３までのいずれか１項に記載のインプラントフィクスチャー用収納容器(１)。
【請求項５】
溝部(５)がインプラントフィクスチャー保持部材(４)の上面側の中心軸を交点として十字状に形成されており、その十字状の溝部(５)には開口側が上向きのコの字状の板状ガイド部(６)が相欠接ぎにより交差配置されるように挿着されている請求項１から３までのいずれか１項に記載のインプラントフィクスチャー用収納容器(１)。
【発明の詳細な説明】
【技術分野】
【０００１】
本発明は、歯科用インプラント治療において用いられる歯科用インプラントフィクスチャーを収納するインプラントフィクスチャー用収納容器に関するものである。
【背景技術】
【０００２】
近年、歯科補綴治療の一つとして、欠如歯部の顎骨内に生体親和性に優れたチタン又はチタン合金製の歯科用インプラントフィクスチャーを埋入し骨との直接的な結合（オッセオインテグレーション）を介して天然歯根の代用とする歯科用インプラント治療が普及してきている。そして、この歯科用インプラント治療において用いられる歯科用インプラントフィクスチャーとしては、歯科用補綴物を固定するアバットメントと別体で構成されるものと、アバットメントと一体で構成されるものとがある。
【０００３】
これらの歯科用インプラントフィクスチャーは顎骨に埋入されることから衛生的であることが強く求められており、そのため歯科用インプラントフィクスチャーを収納するインプラントフィクスチャー用収納容器は滅菌状態を維持できる高い密閉性が強く求められている。
【０００４】
滅菌状態を維持できて且つ高い密閉性を持つインプラントフィクスチャー用収納容器としては、歯科用インプラントフィクスチャーに不純物を付着し難くするために収納体本体を歯科用インプラントフィクスチャーと同質のチタン材で作製したものがある（例えば、特許文献１参照。）。しかしながら、このインプラントフィクスチャー用収納容器は、収納体本体をチタン材で作製しているため、インプラントフィクスチャー用収納容器が使い捨てとされている実情を考慮するとチタン資源の無駄となるという問題があった。
【０００５】
この問題に対して、収納体本体を樹脂製とすると共に、歯科用インプラントフィクスチャーの口腔内側端部に予めフィクスチャーマウントを係合させて、このフィクスチャーマウントで歯科用インプラントフィクスチャーを吊り下げることによって、歯科用インプラントフィクスチャーを収納するインプラントフィクスチャー用収納容器がある（例えば、特許文献２，３，４参照。）。これらのインプラントフィクスチャー用収納容器では、歯科用インプラントフィクスチャーが吊り下げられていてその外面が収納体本体内面と当接しないために収納体本体をチタン製とする必要もなく且つ搬送中にも歯科用インプラントフィクスチャーが損傷し難いという利点があるものの、歯科用インプラントフィクスチャーを吊り下げるために多くの部品を必要とするだけでなく、歯科用インプラントフィクスチャー埋入後においてフィクスチャーマウントを取り外さなければならないために手間がかかるという問題があった。
【０００６】
このような問題に対して、フィクスチャーマウントを使用する代わりに収納体本体内にホルダ部を設けて、このホルダ部で歯科用インプラントフィクスチャーの口腔内側端部を把持することによって、歯科用インプラントフィクスチャーを収納するインプラントフィクスチャー用収納容器がある（例えば、特許文献５，６参照）。しかしながら、このようなインプラントフィクスチャー用収納容器では、フィクスチャーマウントを使用していないので歯科用インプラントフィクスチャーを直接工具によって取り出すことができるという利点があるものの、ホルダ部が歯科用インプラントフィクスチャーの口腔内側端部を把持しているために歯科用インプラントフィクスチャーをホルダ部から取り外す際に歯科用インプラントフィクスチャーの外面等がホルダ部に擦れて損傷する危険性があるという問題点があった。また、このようなインプラントフィクスチャー用収納容器では、歯科用インプラントフィクスチャーの口腔内側端部に設けられているカラー部の外径が埋入部分の外径よりも大きくなければ歯科用インプラントフィクスチャーをホルダ部で把持できないため、埋入部分とカラー部の外径とが同一であるような歯科用インプラントフィクスチャーを収納することが出来ないという問題点があった。
【先行技術文献】
【特許文献】
【０００７】
【特許文献１】特開２００８−２８４１４５号公報
【特許文献２】特表２０００−５１２１９４号公報
【特許文献３】特表２００４−５２６５３０号公報
【特許文献４】特開２００８−１２５９８２号公報
【特許文献５】特開２００４−２４３１２７号公報
【特許文献６】特表２００４−５１０５４１号公報
【発明の概要】
【発明が解決しようとする課題】
【０００８】
本発明は前記の問題に鑑み、歯科用インプラントフィクスチャーを収納するインプラントフィクスチャー用収納容器において、使用するチタン材を最小限に止めてチタン資源を無駄にすることがなく、種々の歯科用インプラントフィクスチャーを確実且つ簡便に位置固定することができると共に、搬送時や取り出し時においても収納された歯科用インプラントフィクスチャーを損傷させることがないインプラントフィクスチャー用収納容器を提供することを課題とする。
【課題を解決するための手段】
【０００９】
本発明者らは前記課題を解決するべく鋭意研究の結果、インプラントフィクスチャー用収納容器を口腔内側に顎骨埋入用の工具との係合穴が形成されている歯科用インプラントフィクスチャーが収納されるガラス又は樹脂製の収納体本体と、歯科用インプラントフィクスチャーの係合穴に挿入されて当接するか及び／又は口腔内側の上面に当接する押え部が内面に設けられていて収納体本体の上部を密封する樹脂製のキャップと、収納体本体内の底部側に嵌入される樹脂製のインプラントフィクスチャー保持部材とから成るインプラントフィクスチャー用収納容器において、そのインプラントフィクスチャー保持部材には上面側にその中央近傍から放射線状に３本以上の溝部が形成されていると共に、各溝部には中央側がその上面から僅かに突出する部分と放射線状の端部側が少なくとも歯科用インプラントフィクスチャーの先端部からの高さの１／３以上の高さまで延在し且つ歯科用インプラントフィクスチャーの外周面近傍に立設する部分とを有するチタン又はチタン合金製の板状ガイド部を挿着させる構成とすると、このインプラントフィクスチャー用収納容器では、使用しなければならないチタン材が、歯科用インプラントフィクスチャーの顎堤に埋入される部分と直接接触するインプラントフィクスチャー保持部材の上面から僅かに突出する部分及び接触する可能性がある立設する部分を備えた板状ガイド部のみとなるのでチタン資源の無駄を防止することができ、また押え部と板状ガイド部に構成される中央側がインプラントフィクスチャー保持部材の上面から僅かに突出する部分とで歯科用インプラントフィクスチャーを挟持するように固定しているので種々の歯科用インプラントフィクスチャーを確実且つ簡便に位置固定でき、更に板状ガイド部に構成される放射線状の端部側が少なくとも歯科用インプラントフィクスチャーの先端部からの高さの１／３以上の高さまで延在し且つ歯科用インプラントフィクスチャーの外周面近傍に立設する部分が歯科用インプラントフィクスチャーの外周面を囲むように設けられているので搬送時においても位置固定された歯科用インプラントフィクスチャーが収納体本体内で大きく動いて損傷することがなく、また開封後に直接顎骨埋入用の工具により位置固定された歯科用インプラントフィクスチャーを収納体本体内の他の部分と触れることなく簡便に取り出すことができることを究明して本発明を完成したのである。
【００１０】
即ち本発明は、口腔内側に顎骨埋入用の工具との係合穴が形成されている歯科用インプラントフィクスチャーが収納されるガラス又は樹脂製の収納体本体と、歯科用インプラントフィクスチャーの該係合穴に挿入されて当接するか及び／又は口腔内側の上面に当接する押え部が内面に設けられていて該収納体本体の上部を密封する樹脂製のキャップと、該収納体本体内の底部側に嵌入される樹脂製のインプラントフィクスチャー保持部材とから成るインプラントフィクスチャー用収納容器であって、該インプラントフィクスチャー保持部材には上面側にその中央近傍から放射線状に３本以上の溝部が形成されていると共に、該各溝部には中央側が該上面から僅かに突出する部分と放射線状の端部側が少なくとも歯科用インプラントフィクスチャーの先端部からの高さの１／３以上の高さまで延在し且つ歯科用インプラントフィクスチャーの外周面近傍に立設する部分とを有するチタン又はチタン合金製の板状ガイド部が挿着されていることを特徴とするインプラントフィクスチャー用収納容器である。
【００１１】
そして、このようなインプラントフィクスチャー用収納容器としては、収納体本体を上面と下面とが開口している筒状とすると、収納される歯科用インプラントフィクスチャーの長さに応じて収納体本体内にインプラントフィクスチャー保持部材を嵌入することにより種々の長さの歯科用インプラントフィクスチャーを収納することができる点で好ましく、また収納体本体を下面が封鎖されている容器状とすると、インプラントフィクスチャー用収納容器の密閉性をより高めることができる点で好ましいのである。
【００１２】
また、放射線状の中央側が連通したＶ字状の少なくとも隣接する２本の溝部に開口側が上向きのコの字状で開口側と反対側の底部がその中央部でＶ字状に折曲されている板状ガイド部が挿着される構成やインプラントフィクスチャー保持部材の上面側の中心軸を交点として十字状に形成された溝部に開口側が上向きのコの字状の板状ガイド部が相欠接ぎにより交差配置されるように挿着される構成とすれば、溝部に挿着される板状ガイド部の本数を少なくすることができるので板状ガイド部の溝部への挿着作業が簡便になるので好ましいのである。
【発明の効果】
【００１３】
このような本発明に係るインプラントフィクスチャー用収納容器は、使用しなければならないチタン材が、歯科用インプラントフィクスチャーの顎堤に埋入される部分と直接接触するインプラントフィクスチャー保持部材の上面から僅かに突出する部分及び接触する可能性がある立設する部分を備えた板状ガイド部のみとなるので、チタン材の使用を最小限に止めることができてチタン資源の無駄を防止することができるのである。また、歯科用インプラントフィクスチャーをその外周面やフィクスチャーマウントによって固定するのではなく、押え部及びインプラントフィクスチャー保持部材の上面から僅かに突出する板状ガイド部の中央側とで挟持するように固定するので、種々の歯科用インプラントフィクスチャーを確実且つ簡便に位置固定できるのである。更には、板状ガイド部に構成される放射線状の端部側が少なくとも歯科用インプラントフィクスチャーの先端部からの高さの１／３以上の高さまで延在し且つ歯科用インプラントフィクスチャーの外周面近傍に立設する部分が歯科用インプラントフィクスチャーの外周面を囲むように立設されているので、搬送する際にインプラントフィクスチャー用収納容器に大きな衝撃が加わった場合であっても、位置固定された歯科用インプラントフィクスチャーが収納体本体内で大きく動いて損傷することがないのである。また、キャップを開封後には、直接顎骨埋入用工具を歯科用インプラントフィクスチャーの口腔内側の係合穴に係合させて歯科用インプラントフィクスチャーを収納体本体内の他の部分と触れることなく簡便に取り出すことができるのである。
【００１４】
そして、このようなインプラントフィクスチャー用収納容器としては、収納体本体を上面と下面とが開口している筒状とすると、収納される歯科用インプラントフィクスチャーの長さに応じて収納体本体内にインプラントフィクスチャー保持部材を嵌入することができるために種々の長さの歯科用インプラントフィクスチャーを収納することができる点で好ましく、また収納体本体を下面が封鎖されている容器状とするとインプラントフィクスチャー用収納容器の密閉性をより高めることができる点で好ましいのである。
【００１５】
また、放射線状の中央側が連通したＶ字状の少なくとも隣接する２本の溝部に開口側が上向きのコの字状で開口側と反対側の底部がその中央部でＶ字状に折曲されている板状ガイド部が挿着される構成や、インプラントフィクスチャー保持部材の上面側の中心軸を交点として十字状に形成される溝部に開口側が上向きのコの字状の板状ガイド部が相欠接ぎにより交差配置されるように挿着される構成とすれば、溝部に挿着される板状ガイド部の本数を少なくすることができるので板状ガイド部の溝部への挿着作業が簡便になるので好ましいのである。
【図面の簡単な説明】
【００１６】
【図１】本発明に係るインプラントフィクスチャー用収納容器の一実施例を示す縦断面説明図である。
【図２】本発明に係るインプラントフィクスチャー用収納容器の他の実施例を示す縦断面説明図である。
【図３】インプラントフィクスチャー保持部材に形成された溝部とその溝部に挿着される板状ガイド部との一実施例を示す斜視説明図である。
【図４】収納体本体が下面が封鎖されている容器状である本発明に係るインプラントフィクスチャー用収納容器の一実施例を示す縦断面説明図である。
【図５】収納体本体が下面が封鎖されている容器状である本発明に係るインプラントフィクスチャー用収納容器の他の実施例を示す縦断面説明図である。
【図６】少なくとも隣接する２本の溝部が放射線状の中央側が連通したＶ字状であるインプラントフィクスチャー保持部材に形成される溝部とそのＶ字状の溝部に挿着される開口側が上向きのコの字状で開口側と反対側の底部がその中央部でＶ字状に折曲されている板状ガイド部との一実施例を示す斜視説明図である。
【図７】インプラントフィクスチャー保持部材の上面側の中心軸を交点として十字状に形成される溝部とその十字状の溝部に相欠接ぎにより交差配置されるように挿着される開口側が上向きのコの字状の板状ガイド部との一実施例を示す斜視説明図である。
【発明を実施するための形態】
【００１７】
図面中、Ｘは口腔内側に顎骨埋入用の工具との係合穴Xaが形成されている歯科用インプラントフィクスチャーであり、後述する本発明に係るインプラントフィクスチャー用収納容器１から開封後に取り出し工具等を使用して取り出される。このような歯科用インプラントフィクスチャーＸとしては、歯科用補綴物を固定するアバットメントと別体で構成されるものと、アバットメントと一体で構成されるものとがある。
【００１８】
本発明に係るインプラントフィクスチャー用収納容器１は、上記歯科用インプラントフィクスチャーＸを収納するものであり、収納体本体２とキャップ３とインプラントフィクスチャー保持部材４と板状ガイド部６とから構成されている。
【００１９】
収納体本体２はインプラントフィクスチャー用収納容器１の基体となるものであり、歯科用インプラントフィクスチャーＸと直接接触することがないためガラス又は樹脂で作製されている。
【００２０】
キャップ３は、収納体本体２の上部を嵌着等により密封するものであり、歯科用インプラントフィクスチャーＸと直接接触することがないため樹脂で作製されている。また、その内面には、図１や図４に示すように歯科用インプラントフィクスチャーＸの顎骨埋入用の工具との係合穴Xaに挿入されて当接するか、図２や図５に示すように口腔内側の上面Xbに当接するか、または図示しないが歯科用インプラントフィクスチャーＸの口腔内側に設けられている顎骨埋入用の工具との係合穴Xaに挿入されて当接すると共に口腔内側の上面Xbに当接するように押え部3aが設けられている。この押え部3aにより、キャップ３は歯科用インプラントフィクスチャーＸの口腔内側の上部に位置固定される。この押え部3aは、図１、図２、図４及び図５からも明らかなように歯科用インプラントフィクスチャーＸと直接接触するものの、その接触部分が歯科用インプラントフィクスチャーＸの顎堤に埋入される部分ではなく、顎骨埋入用の工具との係合穴Xa及び／又は口腔内側の上面Xbであるため樹脂で作製されていればよいが、歯科用インプラントフィクスチャーＸの口腔内側の上面Xbが顎骨と直接接触する可能性がある場合には、その材質をチタン又はチタン合金製とすることが好ましく、この場合には、キャップ３の内面に挿入して接着するか、図４や図５に示すようにキャップ３の内面に幾つかの段部を設けてその内面に圧入嵌合させて設ければよく、またその材質が樹脂製の場合には、例えば図１や図２に示すようにキャップ３と一体に形成することによってキャップ３の内面に設ければよい。
【００２１】
インプラントフィクスチャー保持部材４は、収納体本体２の底部側に嵌入されるものであり、歯科用インプラントフィクスチャーＸと直接接触することがないため樹脂で作製されている。また、その上面側には中央近傍から放射線状に３本以上の溝部５が形成されていると共に、各溝部５には中央側がその上面から僅かに突出する部分6aと放射線状の端部側が少なくとも歯科用インプラントフィクスチャーＸの先端部からの高さの１／３以上の高さまで延在しており且つ歯科用インプラントフィクスチャーＸの外周面近傍に立設する部分6bとを有するチタン又はチタン合金製の板状ガイド部６が挿着されている。インプラントフィクスチャー保持部材４に構成される溝部５の中央側でインプラントフィクスチャー保持部材４の上面から僅かに突出する板状ガイド部６の部分6aにより、歯科用インプラントフィクスチャーＸの口腔内側と反対側の先端部が位置固定される。また、インプラントフィクスチャー保持部材４に構成される溝部５の放射線状の端部側で歯科用インプラントフィクスチャーＸが収納された際にその歯科用インプラントフィクスチャーＸの外周面近傍から歯科用インプラントフィクスチャーＸの口腔内側と反対側の先端部からの高さの１／３以上の高さまで立設する板状ガイド部６の部分6bにより、インプラントフィクスチャー用収納容器１内に位置固定された歯科用インプラントフィクスチャーＸは搬送する際に大きく動いて損傷することがない。このようなインプラントフィクスチャー保持部材４は、例えば図３に示すようにその上面に中央近傍から放射線状に３本の溝部５を形成した後、中央側の上面から僅かに突出する部分6aを構成する部分の高さαが溝部５の深さよりも高く且つ放射線状の端部側の立設する部分6bを構成する部分の高さβが溝部５の深さと歯科用インプラントフィクスチャーＸの１／３の高さとを合わせた高さと同じかそれよりも高いＬ字型の板状ガイド部６を各溝部５に挿着することによって作製することができる。尚、このようなインプラントフィクスチャー保持部材４では、収納される歯科用インプラントフィクスチャーＸの外径や型に応じて溝部５の中央近傍からの位置を決めて形成した後に、板状ガイド部６を挿着すれば、インプラントフィクスチャー用収納容器１は種々の外径の歯科用インプラントフィクスチャーＸを収納することができる。またこのインプラントフィクスチャー保持部材４は、収納体本体２が下面が封鎖されている容器状の場合には、収納体本体２の底部側に嵌入する作業が容易なように、図４に示すように上面と下面とを連通する連通穴4aが穿設されていることが好ましい。
【００２２】
このような本発明に係るインプラントフィクスチャー用収納容器１は、基体である収納体本体２と収納体本体２の上部を密封するキャップ３と収納体本体２の底部側に嵌入されるインプラントフィクスチャー保持部材４とで歯科用インプラントフィクスチャーＸを高い密閉性で収納するので、歯科用インプラントフィクスチャーＸは歯科用インプラント治療を行う直前まで滅菌状態を維持することができる。また、使用しなければならないチタン材が、歯科用インプラントフィクスチャーＸの顎堤に埋入される部分と直接接触するインプラントフィクスチャー保持部材４の上面から僅かに突出する部分6a及び接触する可能性がある放射線状の端部側が少なくとも歯科用インプラントフィクスチャーＸの先端部からの高さの１／３以上の高さまで延在しており且つ歯科用インプラントフィクスチャーＸの外周面近傍に立設する部分6bを備えた板状ガイド部６のみとなるので、チタン又はチタン合金の使用を最小限に止めることができてチタン資源の無駄を防止することができる。更に、キャップ３の内面に設けられている押え部3aが歯科用インプラントフィクスチャーＸの口腔内側に設けられた顎骨埋入用の工具との係合穴Xaに挿入されて当接するか及び／又は口腔内側の上面Xbに当接して歯科用インプラントフィクスチャーＸの上部を固定すると共に、収納される歯科用インプラントフィクスチャーＸの外径及び型に応じて形成された溝部５に挿着されているチタン又はチタン合金製の板状ガイド部６の中央側に位置しインプラントフィクスチャー保持部材４の上面から僅かに突出する部分6aが歯科用インプラントフィクスチャーＸの口腔内側と反対側の先端部に当接して歯科用インプラントフィクスチャーＸの下部を固定することにより、歯科用インプラントフィクスチャーＸがこれらの部分に挟持されるように位置固定されるので、種々の外径や型を有する歯科用インプラントフィクスチャーＸを確実且つ簡便に位置固定することができる。また、板状ガイド部６の放射線状の端部側が少なくとも歯科用インプラントフィクスチャーＸの先端部からの高さの１／３以上の高さまで延在しており且つ歯科用インプラントフィクスチャーＸの外周面近傍に立設する部分6bが歯科用インプラントフィクスチャーＸの外面に沿って立設しているので、搬送する際に大きな衝撃が加わった場合であっても位置固定された歯科用インプラントフィクスチャーＸが大きく動いて損傷することがない。更に、このような構成を有するインプラントフィクスチャー用収納容器１では、開封後に直接顎骨埋入用の工具を歯科用インプラントフィクスチャーＸの口腔内側の係合穴Xaに係合させて歯科用インプラントフィクスチャーＸを簡便に取り出すことができ、その際に歯科用インプラントフィクスチャーＸがインプラントフィクスチャー用収納容器１と擦れて損傷することがない。
【００２３】
そして、このような本発明に係るインプラントフィクスチャー用収納容器１では、収納体本体２を上面と下面とが開口している筒状とすると、収納される歯科用インプラントフィクスチャーＸの長さに応じて収納体本体２内にインプラントフィクスチャー保持部材４を嵌入することによって種々の長さの歯科用インプラントフィクスチャーＸを収納することができるので好ましい。また、収納体本体２を上面と下面とが開口している筒状とする代わりに、収納体本体２を下面が封鎖されている容器状とするとインプラントフィクスチャー用収納容器１の密閉性をより高めることができるので好ましい。
【００２４】
また、図６に示すように溝部５のうち少なくとも隣接する２本を放射線状の中央側が連通したＶ字状となるようにインプラントフィクスチャー保持部材４の上面に形成して、その溝部５に上向きのコの字状で開口側と反対側の底部がその中央側でＶ字状に折曲されている板状ガイド部６が挿入される構成や、図７に示すようにインプラントフィクスチャー保持部材４の上面側の中心軸を交点として十字状に形成される溝部５に開口側が上向きのコの字状の板状ガイド部６が相欠接ぎにより交差配置されるように挿着される構成とすれば、溝部５に装着される板状ガイド部６の本数を少なくすることができるので板状ガイド部６の溝部５への挿着作業が簡便となるので好ましい。
【符号の説明】
【００２５】
１    本発明に係るインプラントフィクスチャー用収納容器
２    収納体本体
３    キャップ
3a  押え部
４    インプラントフィクスチャー保持部材
4a  連通穴
５    溝部
６    板状ガイド部
6a  中央側の該上面から僅かに突出する部分
6b  放射線状の端部側の立設する部分
α  中央側の上面から僅かに突出する部分を構成する部分の高さ
β  放射線状の端部側の立設する部分を構成する部分の高さ
Ｘ    歯科用インプラントフィクスチャー
Xa  係合穴
Xb  上面
【図１】
2010220856.tif 000003
【図２】
2010220856.tif 000004
【図３】
2010220856.tif 000005
【図４】
2010220856.tif 000006
【図５】
2010220856.tif 000007
【図６】
2010220856.tif 000008
【図７】
2010220856.tif 000009